(57)【特許請求の範囲】
【請求項１】
警戒区域に引き出された回線に接続した検知器からの検知信号を回線単位に受信した時に、異常の種別を示す代表灯と異常発生地区を示す地区表示灯を点滅又は点灯すると共に受信機主音響を鳴動する受信制御部と、
前記主音響を停止させる主音響停止スイッチと、
前記主音響停止スイッチ近傍に配置された音響停止誘導灯と、
地区音響を一時的に停止させる地区音響一時停止スイッチと、
検知信号の受信時に停止に設定されていたスイッチを解除する断定スイッチと、
検知信号を受信して動作した受信機状態を監視状態に戻す復旧スイッチと、
を備えた受信機に於いて、
音声ガイダンスを出力させる音声案内スイッチと、
前記音声案内スイッチの近傍に配置された音声案内誘導灯と、
前記主音響停止スイッチの操作を判別した際に、ガイダンスする内容がある場合に前記音声案内誘導灯を点滅して前記音声案内スイッチの操作を促すと共に、前記音声案内スイッチの操作を判別する毎に、状況に応じた操作方法を示すガイダンスを音声により出力する音声ガイダンス処理部と、
を設けたことを特徴とすることを特徴とする受信機。
【請求項２】
請求項１記載の受信機に於いて、更に、監視状態で前記音声案内スイッチの所定の操作を判別した際に操作練習モードを設定し、検知信号受信時の操作手順を示す操作練習ガイダンスを音声により出力する操作練習ガイダンス処理部を設けたことを特徴とする受信機。
【請求項３】
請求項１記載の受信機に於いて、前記受信制御部は、感知器回線から火災信号、防排煙感知器回線からの火災信号、又はガス漏れ検知器回線からのガス漏れ信号を受信して火災代表灯、防排煙火災代表灯、又はガス漏れ代表灯を点滅又は点灯すると共に、前記感知器回線、防排煙感知器回線、又はガス漏れ検知器回線に対応した地区表示灯を点滅又は点灯し、更に前記主音響として火災、防排煙火災、またはガス漏れに応じた内容の擬似警報音と異常内容を示す警報メッセージの組合せからなる音声警報を出力することを特徴とする受信機。
【請求項４】
請求項１記載の受信機に於いて、
前記主音響停止スイッチは近傍に自己のスイッチ名称を表示すると共にスイッチ番号１を拡大表示し、
前記地区音響一時停止スイッチは近傍に自己のスイッチ名称を表示すると共にスイッチ番号２を拡大表示し、
前記復旧スイッチは近傍に自己のスイッチ名称を表示すると共にスイッチ番号３を拡大表示し、
前記音声ガイダンス処理部は、前記各スイッチの操作を指示するガイダンス内容として、前記スイッチ番号とスイッチ名称を指示することを特徴とする受信機。
【請求項５】
請求項３記載の受信機に於いて、前記主音響停止スイッチ、地区音響一時停止スイッチ及び復旧スイッチを配置した盤面に、前記スイッチ番号に従った操作順序を示す矢印マーカを表示したことを特徴とする受信機。
【請求項６】
請求項１記載の受信機に於いて、前記音声ガイダンス処理部は、ガイダンス内容により指示したスイッチの操作を判別しない状態で前記音声案内スイッチの操作を判別した場合、前記ガイダンス内容を再度音声出力することを特徴とする受信機。
【請求項７】
請求項１記載の受信機に於いて、前記音声ガイダンス処理部は、前記復旧スイッチの操作を判別した時に、音声ガイダンスを終了することを特徴とする受信機。
【請求項８】
請求項１記載の受信機に於いて、前記音声ガイダンス処理部は、一連のガイダンス内容を前記音声案内スイッチの操作に応じて全て音声出力した場合、前記復旧スイッチの操作を判別して音声案内を終了するまでは、前記音声案内スイッチの操作を判別する毎に最後のガイダンス内容を繰り返し音声出力することを特徴とする受信機。
【請求項９】
請求項１記載の受信機に於いて、前記音声ガイダンス処理部は、火災受信時は、
前記主音響停止後の最初の前記音声案内スイッチの操作を判別した時に、火災発信機又は感知器の動作と発生場所の確認を促すガイダンス内容を出力し、
２回目の前記音声案内スイッチの操作を判別した時に、地区音響鳴動中の場合は、火災時については前記異常断定スイッチの操作を指示し、非火災時については前記地区音響停止スイッチによる地区音響一時停止の操作を指示するガイダンス内容を出力し、
２回目の前記音声案内スイッチの操作を判別した時に地区音響停止中の場合は、火災時については前記火災断定スイッチの操作を指示し、非火災時については前記発信機又は感知器を復旧してから前記復旧スイッチの操作を指示するガイダンス内容を出力し、
前記異常断定スイッチの操作を判別した後に前記音声案内スイッチの操作を判別した時に、消防機関への通報、初期消火と避難誘導を指示するガイダンス内容を出力し、
前記復旧スイッチの操作を判別した時に音声案内を終了することを特徴とする受信機。
【請求項１０】
請求項１記載の受信機に於いて、前記音声ガイダンス処理部は、防排煙設備からの火災受信時は、
前記主音響停止後の最初の前記音声案内スイッチの操作を判別した時に、感知器の動作と発生場所の確認を促すガイダンス内容を出力し、
２回目の前記音声案内スイッチの操作を判別した時に、火災の場合は前記異常断定スイッチの操作を指示し、非火災の場合は感知器が作動した原因を取り除いた後の前記復旧スイッチの操作を指示するガイダンス内容を出力し、
前記異常断定スイッチの操作を判別した後に前記音声案内スイッチの操作を判別した時に、消防機関への通報、初期消火と避難誘導を指示するガイダンス内容を出力し、
前記復旧スイッチの操作を判別した時に音声案内を終了することを特徴とする受信機。
【請求項１１】
請求項１記載の受信機に於いて、前記音声ガイダンス処理部は、ガス漏れ受信時は、
前記主音響停止後の最初の前記音声案内スイッチの操作を判別した時に、ガス漏れ検知器の動作と発生場所の確認を促すガイダンス内容を出力し、
２回目の前記音声案内スイッチの操作を判別した時に、ガス漏れの場合は前記異常断定スイッチの操作を指示し、ガス漏れでない場合はガス漏れ検知器が作動した原因を取り除いた後の前記復旧スイッチの操作を指示するガイダンス内容を出力し、
前記異常断定スイッチの操作を判別した後に前記音声案内スイッチの操作を判別した時に、ガス会社への通報を指示するガイダンス内容を出力し、
前記復旧スイッチの操作を判別した時に音声案内を終了することを特徴とする受信機。
【請求項１２】
請求項２記載の受信機に於いて、前記操作練習ガイダンス処理部は、火災時の操作練習ガイダンス、防排煙設備動作時の操作練習ガイダンス、及びガス漏れ時の操作練習ガイダンスのカテゴリに分けて所定の順番で連続的に音声出力することを特徴とする受信機。
【請求項１３】
請求項２記載の受信機に於いて、各カテゴリの操作練習ガイダンスは、火災又はガス漏れ時の操作練習ガイダンスと、火災又はガス漏れでない時の操作練習ガイダンスを含むことを特徴とする受信機。
【請求項１４】
請求項２記載の受信機に於いて、前記操作練習ガイダンス処理部は、操作練習モードの設定時は、スイッチ操作に伴う移報、連動、地区音響鳴動を含む外部に対する制御を禁止し、スイッチ操作に伴う表示のみを許容することを特徴とする受信機。
【請求項１５】
請求項２記載の受信機に於いて、前記操作練習ガイダンス処理部は、操作練習モードの設定時に、受信機におけるスイッチ状態を保存し、操作練習モードの設定解除時に、受信機を前記保存したスイッチ状態に戻す受信機。
【請求項１６】
請求項２記載の受信機に於いて、前記操作練習ガイダンス処理部は、操作練習モードの設定中に、火災又はガス漏れを受信した時、又は障害が発生した時、又は無操作で一定時間経過した時、前記操作練習モードの設定を解除して監視状態に戻すことを特徴とする受信機。
【請求項１７】
請求項２記載の受信機に於いて、更に、前記操作練習ガイダンスにおけるガイダンス内容の出力する順番を切替える切替スイッチを設けたことを特徴とする受信機。
【請求項１８】
請求項１７記載の受信機に於いて、前記切替スイッチは４つのキースイッチを十字に配置した十字型切替スイッチであり、
第１キースイッチにより音声ガイダンスのカテゴリを１つ後方に切替え、
第２キースイッチにより音声ガイダンスのカテゴリを１つ前方に切替え、
第３キースイッチにより音声ガイダンスの同一カテゴリに含まれる複数のガイダンスアイテムを１つ後方に切替え、
第４キースイッチにより音声ガイダンスの同一カテゴリに含まれる複数のガイダンスアイテムを１つ前方に切替えることを特徴とする受信機。
【発明の詳細な説明】
【技術分野】
【０００１】
本発明は、警戒区域に引き出された回線に接続した検知器からの火災やガス漏れなどの異常検知信号を回線単位に受信して警報する受信機に関する。
【背景技術】
【０００２】
従来、自動火災報知設備に設けられたＰ型受信機にあっては、受信機から引き出された回線に発信機、感知器、ガス漏れ検知器を接続して回線単位に火災やガス漏れを監視しており、火災発生時やガス漏れ発生時には、音響や表示灯によって管理人の建物関係者に警報を出すようにしている。
【０００３】
火災発生やガス漏れ発生により警報が出された場合、管理者は予め定められた取扱いの手順に従い、主音響停止、現場確認、消防機関への通報、初期消火、避難誘導という手順に従った一連のスイッチ操作や対処を行うことになる。
【０００４】
また火災発生時やガス漏れ発生時に適切に対応操作できるようにするため、受信機の取扱説明書を見ながら操作練習を行うようにしている。
【特許文献１】特開平６−１７６２８９号公報
【特許文献２】特開２００２−１０９６５１号公報
【発明の開示】
【発明が解決しようとする課題】
【０００５】
しかしながら、このような従来のＰ型受信機にあっては、火災発生時やガス漏れ発生時の警報により、管理者があわててしまい、受信機を適切に操作することができない場合が想定される。
【０００６】
また管理者が受信機の操作に慣れるために練習を行うには、受信機から他設備への連動、移報出力、音響などを停止し、実際に発信機や感知器を作動させて火災発報させるなどする必要があり、容易に操作練習をすることができないという問題があった。
【０００７】
本発明は、火災やガス漏れなどの発生で警報が出された非常時に、不慣れな管理者であっても適切且つ迅速に対処可能とする受信機を提供することを目的とする。
【０００８】
また本発明は、正常監視状態で非常時と同様の動作を再現して容易に操作手順を練習可能とする受信機を提供することを目的とする。
【課題を解決するための手段】
【０００９】
本発明は、
警戒区域に引き出された回線に接続した、火災感知器やガス漏れ検知器等の検知器からの火災信号やガス漏れ信号等の検知信号を回線単位に受信した時に、異常の種別を示す代表灯と異常発生地区を示す地区表示灯を点滅又は点灯すると共に受信機主音響を鳴動する受信制御部と、
主音響を停止させる主音響停止スイッチと、
地区音響を一時的に停止させる地区音響一時停止スイッチと、
検知信号の受信時に停止に設定されていたスイッチを解除する断定スイッチと、
検知信号を受信して動作した受信機状態を監視状態に戻す復旧スイッチと、
を備えた受信機に於いて、
音声ガイダンスを出力させる音声案内スイッチと、
音声案内スイッチの近傍に配置された音声案内誘導灯と、
音響停止スイッチの操作を判別した際に、ガイダンスする内容がある場合に音声案内誘導灯を点滅して音声案内スイッチの操作を促すと共に、音声案内スイッチの操作を判別する毎に、状況に応じた操作方法を示すガイダンスを音声により出力する音声ガイダンス処理部と、
を設けたことを特徴とする。
【００１０】
本発明の受信機は、更に、監視状態で音声案内スイッチの操作を判別した際に操作練習モードを設定し、異常受信時の操作手順を示す操作練習ガイダンスを音声により出力する操作練習ガイダンス処理部を設けたことを特徴とする。
【００１１】
ここで、受信制御部は、感知器回線から火災検知信号、防排煙感知器回線からの火災信号、又はガス漏れ検知器回線からのガス漏れ信号を受信して火災代表灯、防排煙火災代表灯、又はガス漏れ代表灯を点滅又は点灯すると共に、感知器回線、防排煙感知器回線、又はガス漏れ検知器回線に対応した地区表示灯を点滅又は点灯し、更に主音響として、火災、防排煙火災、またはガス漏れに応じた内容の擬似警報音と異常内容を示す警報メッセージの組合せからなる音声警報を出力する。
【００１２】
本発明の受信機に於いて、
音響停止スイッチは近傍に自己のスイッチ名称を表示すると共にスイッチ番号１を拡大表示し、
地区音響一時停止スイッチは近傍に自己のスイッチ名称を表示すると共にスイッチ番号２を拡大表示し、
復旧スイッチは近傍に自己のスイッチ名称を表示すると共にスイッチ番号３を拡大表示し、
音声ガイダンス処理部は、各スイッチの操作を指示するガイダンス内容として、スイッチ番号とスイッチ名称を指示する。
【００１３】
更に、音響停止スイッチ、地区音響一時停止スイッチ及び復旧スイッチを配置した盤面に、スイッチ番号の操作順序を示す矢印マーカを表示する。
【００１４】
音声ガイダンス処理部は、ガイダンス内容により指示したスイッチの操作を判別しない状態で音声案内スイッチの操作を判別した場合、ガイダンス内容を再度音声出力する。
【００１５】
音声ガイダンス処理部は、復旧スイッチの操作を判別した時に、音声ガイダンスを終了する。
【００１６】
音声ガイダンス処理部は、一連のガイダンス内容を音声案内スイッチの操作に応じて全て音声出力した場合、復旧スイッチの操作を判別して音声案内を終了するまでは、音声案内スイッチの操作を判別する毎に最後のガイダンス内容を繰り返し音声出力する。
【００１７】
音声ガイダンス処理部は、火災受信時にあっては、
主音響停止後の最初の音声案内スイッチの操作を判別した時に、火災発信機又は感知器の動作と発生場所の確認を促すガイダンス内容を出力し、
２回目の音声案内スイッチの操作を判別した時に、地区音響鳴動中の場合は、火災時について火災の断定スイッチ操作を指示し、非火災時については地区音響停止スイッチによる地区音響一時停止の操作を指示するガイダンス内容を出力し、
２回目の音声案内スイッチの操作を判別した時に地区音響停止中の場合は、火災時については火災の断定スイッチ操作を指示し、非火災時については発信機又は感知器を復旧してから復旧スイッチの操作を指示するガイダンス内容を出力し、
断定スイッチの操作を判別した後に音声案内スイッチの操作を判別した時に、消防機関への通報、初期消火と避難誘導を指示するガイダンス内容を出力し、
復旧スイッチの操作を判別した時に音声案内を終了する。
【００１８】
音声ガイダンス処理部は、防排煙設備からの火災受信時にあっては、
主音響停止後の最初の音声案内スイッチの操作を判別した時に、感知器の動作と発生場所の確認を促すガイダンス内容を出力し、
２回目の音声案内スイッチの操作を判別した時に、火災の場合は火災の断定スイッチ操作を指示し、非火災の場合は感知器が作動した原因を取り除いた後の復旧スイッチの操作を指示するガイダンス内容を出力し、
断定スイッチの操作を判別した後に音声案内スイッチの操作を判別した時に、消防機関への通報、初期消火と避難誘導を指示するガイダンス内容を出力し、
復旧スイッチの操作を判別した時に音声案内を終了する。
【００１９】
音声ガイダンス処理部は、ガス漏れ受信時にあっては、
主音響停止後の最初の音声案内スイッチの操作を判別した時に、ガス漏れ検知器の動作と発生場所の確認を促すガイダンス内容を出力し、
２回目の音声案内スイッチの操作を判別した時に、ガス漏れの場合はガス漏れの断定スイッチ操作を指示し、ガス漏れでない場合はガス漏れ検知器が作動した原因を取り除いた後の復旧スイッチの操作を指示するガイダンス内容を出力し、
異常断定スイッチの操作を判別した後に音声案内スイッチの操作を判別した時に、ガス会社への通報を指示するガイダンス内容を出力し、
復旧スイッチの操作を判別した時に音声案内を終了する。
【００２０】
操作練習ガイダンス処理部は、火災時の操作練習ガイダンス、防排煙設備動作時の操作練習ガイダンス、及びガス漏れ時の操作練習ガイダンスのカテゴリに分けて所定の順番で連続的に音声出力する。
【００２１】
各カテゴリの操作練習ガイダンスは、火災又はガス漏れ時の操作練習ガイダンスと、火災又はガス漏れでない時の操作練習ガイダンスを含む。
【００２２】
操作練習ガイダンス処理部は、操作練習モードの設定時は、スイッチ操作に伴う移報、連動、地区音響鳴動を含む外部に対する制御を禁止し、スイッチ操作に伴う表示のみを許容する。
【００２３】
操作練習ガイダンス処理部は、操作練習モードの設定時に、受信機におけるスイッチ状態を保存し、操作練習モードの設定解除時に、受信機を保存したスイッチ状態に戻す。
【００２４】
操作練習ガイダンス処理部は、操作練習モードの設定中に、火災又はガス漏れを受信した時、又は障害が発生した時、操作練習モードの設定を解除して監視状態に戻す。
【００２５】
本発明の受信機は、更に、操作練習ガイダンスにおけるガイダンス内容の出力する順番を切替える切替スイッチを設けている。
【００２６】
この切替スイッチは４つのキースイッチを十字に配置した十字型切替スイッチであり、
第１キースイッチにより音声ガイダンスのカテゴリを１つ後方に切替え、
第２キースイッチにより音声ガイダンスのカテゴリを１つ前方に切替え、
第３キースイッチにより音声ガイダンスの同一カテゴリに含まれる複数のガイダンスアイテムを１つ後方に切替え、
第４キースイッチにより音声ガイダンスの同一カテゴリに含まれる複数のガイダンスアイテムを１つ前方に切替える。
【発明の効果】
【００２７】
本発明によれば、火災やガス漏れが発生した非常時にあっては、火災やガス漏れなどの異常検知信号を受信して主音響が鳴動したら、主音響停止スイッチを操作すると音声ガイダンス処理が起動し、音声案内スイッチを押すと、状況に合った適切な操作方法のガイダンス内容を音声によって知らせ、受信機の操作に不慣れな管理者であっても、音声ガイダンスに従いながら操作することで、非常時に適切な操作を行うことができる。
【００２８】
また音声ガイダンスがある場合には、音声案内スイッチの横に配置している音声案内誘導灯が点滅して管理者に音声案内スイッチの操作を促しており、音声案内誘導灯の点滅を見て音声ガイダンスの利用に気づき、音声案内スイッチを押すことで、その時のスイッチ状況に合った操作ガイダンスが音声出力され、適切に操作できる。
【００２９】
また操作に慣れている管理者であっても、非常時に現場確認のために受信機から離れるため、現場を確認して受信機に戻ってきたときに、どこまで操作していたか一瞬迷う場合があり、これを確認するためには手間と時間がかかるが、本発明にあっては、これまでの操作状況を確認したい場合には、点滅する音声案内誘導灯が示している音声案内スイッチを押すことで、その時のスイッチ状況に合った操作ガイダンスが音声出力され、それまでのスイッチ操作が簡単に確認でき、確認に手間取ることなく適切に次の操作が正しくできる。
【００３０】
また、音声ガイダンスにより操作するスイッチについては、スイッチ名称に加えてスイッチ番号として１，２，３という数字を拡大表示しており、ガイダンス内容として「○番の○○スイッチを押して下さい」というようにスイッチ番号とスイッチ名称を指示することで、不慣れな管理者であっても音声により指示されたスイッチ番号から容易に操作すべきスイッチを把握して適切且つ容易に操作できる。
【００３１】
更に音声ガイダンスにより操作するスイッチについては、操作する順番を示す矢印マーカが表示されており、あるスイッチの操作が音声により指示された場合、次に操作を指示されるスイッチを予測することができ、次に音声案内スイッチを押して出されたメッセージを聞いた時、既に次に操作するスイッチが予測できていたことで、迅速に指示されたスイッチを操作できる。
【００３２】
また、音声出力されたガイダンス内容を別のことに注意を奪われて聞き逃したり、充分に把握できなかった場合には、再度、音声案内スイッチを押すと同じガイダンス内容が再び音声出力され、ガイダンス内容の確認が簡単にできる。
【００３３】
また本発明によれば、正常監視時であれば、いつでも簡単に操作練習モードに入ることができ、操作練習モードでは、火災やガス漏れが発生した非常時と同様な表示を行いながら音声ガイダンスに従って操作練習の説明と指示が行われ、非常時の操作手順を効率的に学ぶことができる。
【００３４】
また、操作練習モード中は、音声ガイダンスに従ってスイッチ操作を行っても、外部に対する制御は禁止されており、移報、連動制御、地区音響の鳴動などは一切行われずに受信機盤面での表示と警報のみとなり、外部への制御を停止する操作を必要とすることなく、簡単に操作練習を行うことができる。
【００３５】
また操作練習モードを設定した際に、設定前のスイッチ状態を保存し、操作練習モード解除すると、操作練習前のスイッチ状態に戻り、監視状態におけるスイッチ状態を損なうことなく、操作練習ができる。
【００３６】
また操作練習モード中に、火災やガス漏れなどの異常検知信号の受信があると、強制的に操作練習モードが解除されて監視状態となり、操作練習により本来の火災や
ガス漏れの監視可能が損なわれることがない。
【００３７】
また、操作練習ガイダンスの音声出力は、火災時の操作練習ガイダンス、防排煙設備動作時の操作練習ガイダンス、及びガス漏れ時の操作練習ガイダンスのカテゴリに分けて所定の順番で連続的に音声出力され、また切替スイッチを操作することで、必要に応じてガイダンスのカテゴリの切替え、同一カテゴリの中でのガイダンスのアイテムの切替えが可能であり、管理者の習熟度などに応じて選択的に操作練習ガイダンスの音声出力ができる。
【発明を実施するための最良の形態】
【００３８】
図１は本実施形態のＰ型受信機が設けられる防災監視システムを示した説明図である。図１において、Ｐ型受信機１０は管理人室などに設置されており、Ｐ型受信機１０からは建物の警戒区域に対し感知器回線１２−１〜１２−ｎが引き出されている。
【００３９】
感知器回線１２−１には感知器１４と発信機１６が接続されている。また感知器回線１２−ｎには感知器１４のみが接続されている。感知器１４としては、光電式スポット型感知器、差動式スポット型感知器、定温式スポット型感知器など、各種のオンオフ型の感知器が使用される。
【００４０】
Ｐ型受信機１０からは更に発信機回線１８が引き出され、ここに発信機１６を接続している。またＰ型受信機１０からはガス漏れ検知回線２０が引き出され、ガス漏れ検知器２２を接続している。
【００４１】
更にＰ型受信機１０からは制御回線２４−１，２４−２が引き出され、ここに防排煙機器として防火戸２６やダンパ２８を接続している。またＰ型受信機に対しては必要に応じてＰ型表示盤３０が接続され、Ｐ型受信機１０における監視表示内容を移報して表示できるようにしている。
【００４２】
図２は本実施形態におけるＰ型受信機の機能構成を示したブロック図である。図２において、Ｐ型受信機にはＭＰＵ３２が設けられ、ＭＰＵ３２に対し設けた受信回路部３４−１〜３４−ｎを介して感知器回線１２−１〜１２−ｎを引き出し、感知器１４を接続している。
【００４３】
またＭＰＵ３２に対し、制御回路部３５−１〜３５−ｎを介して制御回線２４−１〜２４−ｎが引き出され、例えば制御機器として防火戸２６やダンパ２８を接続している。なお、ガス漏れ検知器については感知器１４と同様な受信回路部を介して引き出されたガス漏れ検知器回線を設けているが、図２では省略している。
【００４４】
またＭＰＵ３２に対しては、表示部３６、操作部３７、スピーカ５５を備えた音声出力部３８、移報部４０及びメモリ部４１を設けている。
【００４５】
ＭＰＵ３２にはプログラムの実行により実現される機能として、受信制御部４２、音声ガイダンス処理部４４及び操作練習ガイダンス処理部４６が設けられている。受信制御部４２は、警戒区域に引き出された例えば感知器回線に接続した感知器１４からの火災検出信号を回線単位に受信した際に、火災代表灯、火災発生地区を示す地区表示灯を点滅または点灯すると共に、受信機主音響を鳴動する。
【００４６】
音声ガイダンス処理部４４は、受信制御部４２による例えば火災受信時の主音響の鳴動に対し、操作部３７に設けている主音響停止スイッチの操作による主音響停止を判別した際に、同じく操作部３７に設けている後の説明で明らかにする音声案内スイッチの操作を判別するごとに、状況に応じた操作方法を示すガイダンスを音声により音声出力部３８からスピーカ５５を介して出力する。
【００４７】
更に操作練習ガイダンス処理部４６は、通常の監視状態で操作部３７に設けている音声案内スイッチの例えば長押し操作を判別したときに操作練習モードを設定し、火災、ガス漏れなどの異常受信時の操作手順を示す操作練習ガイダンスを音声により出力し、この音声による操作練習ガイダンスに従ったスイッチ操作を行うことで、火災やガス漏れ受信時となる非常時の操作を学ぶことができる。
【００４８】
図３は本実施形態におけるＰ型受信機の正面図と操作表示部を取り出して示した説明図であり、図４に代表表示部５０を取り出して示し、図５に子扉を開いた状態で操作表示部５４を取り出して示している。
【００４９】
図３において、Ｐ型受信機１０の盤面には、上部から代表表示部５０、地区表示部５２及び操作表示部５４が設けられており、操作表示部５４の下半分には開閉自在な小扉６８が設けられている。
【００５０】
代表表示部５０には、火災代表灯５６、ガス漏れ代表灯５８及び防排煙代表灯６０を設けている。なお、設備構成によってはガス漏れ警報設備や防排煙設備を設けない場合等もあり、その場合にはたとえば火災代表灯５６のみが設けられる。
【００５１】
地区表示部５２には複数の地区表示灯６１が設けられており、１つの地区表示灯６１は１つの感知器回線に対応している。操作表示部５４にはスピーカ５５が設けられ、その詳細は右側に取り出して示す構成を有する。
【００５２】
右側に取り出した操作表示部５４において、そのほぼ中央には火災断定スイッチ６２が設けられ、その右側に並べて主音響停止スイッチ６４と地区音響一時停止スイッチ６６が設けられている。また火災断定スイッチ６２の左側には音声案内スイッチ７４が設けられ、その左側の近傍に音声案内誘導灯７６を設けている。
【００５３】
主音響停止スイッチ６４は、Ｐ型受信機１０で火災やガス漏れなどを受信した際に鳴動する主音響を停止するスイッチである。地区音響一時停止スイッチ６６は、Ｐ型受信機における火災やガス漏れの受信時の主音響に連動して鳴動する地区音響を一時的に停止するスイッチである。
【００５４】
火災断定スイッチ６２は、火災やガス漏れの受信時に停止に設定されていたスイッチを解除するスイッチである。なお、火災断定スイッチ６２は火災以外にガス漏れも対象とすることから、異常断定スイッチということができ、ガス漏れ警報時には、ガス漏れ断定スイッチとして使用される。
【００５５】
更に、常時露出状態にある操作表示部５４の下側に設けた小扉６８の内側には、破線で示すように復旧スイッチ７０が設けられている。復旧スイッチ７０は、火災やガス漏れを受信して動作したＰ型受信機１０の受信機状態を通常の監視状態に戻すスイッチである。
【００５６】
本実施形態にあっては、Ｐ型受信機１０で火災またはガス漏れが受信されてスピーカ５５から主音響警報が出された際に音響停止誘導灯が点滅し、主音響停止スイッチ６４を押すと主音響が停止し、同時に音声案内誘導灯７６が点滅し、この状態で音声案内スイッチ７４を押すと、そのときの状況に応じた操作方法を示すガイダンスを音声出力の可能状態となる。
【００５７】
音声案内誘導灯７６は、その点滅により音声案内スイッチ７４の操作を促す。このため、音声案内誘導灯７６が点滅していればガイダンスする内容があることが分かり、この状態で音声案内スイッチ７４を押すと、そのときの状況に応じた操作方法を示すガイダンスが音声により出力されることになる。
【００５８】
音声案内スイッチ７４の操作により出力されるガイダンスには、主音響停止スイッチ６４、地区音響一時停止スイッチ６６、火災断定スイッチ６２、更に復旧スイッチ７０を操作する指示が含まれている。この音声ガイダンスによる指示に対し管理者が容易に操作できるようにするため、主音響停止スイッチ６４にはスイッチ名「音響停止」と同時に、その近くにスイッチ番号６４ａとして「１」が表示されている。
【００５９】
また地区音響一時停止スイッチ６６についてもスイッチ名称「地区音響一時停止」を表示すると共に、その近くにスイッチ番号６６ａとして「２」を拡大表示している。更に、操作表示部５４の小扉６８の内側に設けている復旧スイッチ７０についても、小扉を開いて取り出した図５から明らかなように、復旧スイッチ７０の右側にスイッチ名称「復旧」と併せて、スイッチ番号７０ａとして「３」が拡大表示されている。
【００６０】
更に、操作表示部５４に配置している主音響停止スイッチ６４と地区音響一時停止スイッチ６６の配置部分には矢印マーカ７２が描かれている。矢印マーカ７２は主音響停止スイッチ６４の位置を開始位置として、右側の地区音響一時停止スイッチ６６の位置に至り、更に右側に進んで下側に屈曲した先端に矢印を描いており、この矢印先頭の部分に復旧スイッチ７０の操作を促す表示として「扉を開けて３へ」を表示している。
【００６１】
このような矢印マーカ７２の矢印の向きを、主音響停止スイッチ６４、地区音響一時停止スイッチ６６、更に小扉６８の内側の復旧スイッチ７０に向けて表示しておくことで、音声案内スイッチ７４を押したときの音声ガイダンスで指示するスイッチの操作順を視覚的に理解できるようにしている。
【００６２】
図４は図３の代表表示部５０を取り出して示しており、代表表示部５０には、火災代表灯５６、ガス漏れ代表灯５８及び防排煙代表灯６０が設けられ、それぞれ固有のマークが描かれており、受信時にはそれぞれの表示灯が点滅して警報受信を示す。
【００６３】
また火災代表灯５６の下側には操作練習中灯７７が設けられている。操作練習中灯７７は通常の監視状態で図３に示す音声案内スイッチ７４を長押しした際の操作練習モードの間、点滅し、操作練習モードにあることを表示する。
【００６４】
図５の小扉６８を開いた状態で示した操作表示部５４の復旧スイッチ７０の左側には、４つのキースイッチを十字状に配置した十字スイッチ７８が設けられている。本実施形態にあっては、十字スイッチ７８を利用して操作練習モード中における操作練習ガイダンスの順番を適宜に選択切替えできるようにしている。
【００６５】
図６は本実施形態におけるＰ型受信機の音声ガイダンス処理を示したフローチャートである。図６において、ステップＳ１で火災やガス漏れなどの異常受信の有無をチェックしており、回線単位に行われる感知器またはガス漏れ検知器からの検知信号により異常を受信すると、ステップＳ２に進み、図３に示した受信した異常の種別を示す火災代表灯５６、ガス漏れ代表灯５８または防排煙代表灯６０を点滅し、同時に地区表示部５２に設けている信号を受信した回線に対応した地区表示灯を点滅する。
【００６６】
続いてステップＳ３で主音響を鳴動する。本実施形態における主音響の鳴動は音声出力により行っており、異常の種別に応じた擬似警報音と異常内容を示す警報メッセージの組合せとなる音声メッセージを出力する。
【００６７】
続いてステップＳ４で、作動した機器が発信機または感知器か否か判別し、発信機または感知器であった場合にはステップＳ５に進み、主音響として音声合成により異常の種類に応じた内容の擬似警報音と異常内容を示す警報メッセージの組合せとなる音声警報を出力する。例えば「“第１擬似音”火事です。火事です。発生場所を確認してください」を出力する。
【００６８】
続いてステップＳ６に進み、主音響停止スイッチ６４の押圧の有無を判別し、押圧を判別すると、ステップＳ７で主音響即ちステップＳ４で出力している警報メッセージを停止する。
【００６９】
続いてステップＳ８で操作表示部５４に設けている音声案内誘導灯７６を点滅し、音声案内スイッチ７４の操作により出力する操作ガイダンスがあることを示す。続いてステップＳ９で音声案内スイッチ７４の操作に伴う音声ガイダンス処理が行われる。
【００７０】
一方、ステップＳ４で火災または感知器作動でなかった場合には、ステップＳ１１に進み、防排煙設備の感知器作動か否かチェックする。防排煙設備の感知器作動であった場合には、ステップＳ１２に進み、「“第２擬似音”火事です。火事です。発生場所を確認してください」となる音声メッセージによる主音響出力を行う。
【００７１】
またステップＳ１１で防排煙設備の感知器作動でなかった場合には、ステップＳ１３に進み、ガス漏れ検知器の作動を判別すると、ステップＳ１４で「“第３擬似音”ガス漏れ発生。ガス漏れ発生。発生場所を確認してください」となる警報メッセージの音出力による主音響警報を行う。
【００７２】
一方、ステップＳ１で異常受信のない通常の監視状態にあっては、ステップＳ１５で音声案内スイッチ７４の長押しの有無をチェックしており、音声案内スイッチ７４が長押しされると、ステップＳ１６に進み、操作練習処理を実行することになる。
【００７３】
図７〜図１０は、図６のステップＳ９における音声ガイダンス処理の詳細を示したフローチャートである。
【００７４】
まず図７は音声ガイダンス処理における発信機作動時の処理の詳細を示したフローチャートである。
【００７５】
図７において、音声ガイダンス処理は、ステップＳ１で発信機作動を判別すると、ステップＳ２に進み、このとき音声案内誘導灯７６の点滅で操作を促している音声案内スイッチ７４の操作を判別すると、ステップＳ３に進み、「発信機が押されました。発生した場所の状況を確認してください」の音声ガイダンスを出力する。なお、以下のフローチャートにおいて、灰色に塗り潰したブロックは音声出力されるガイダンス内容を示している。
【００７６】
次にステップＳ４に進み、地区音響鳴動中か否かチェックし、鳴動中であればステップＳ５に進み、停止中であればステップＳ１４に進む。地区音響鳴動中について進んだステップＳ５にあっては、音声ガイダンスとして「確認した結果、火災の場合は火災断定スイッチを押してください」を出力し、無音１秒を介してステップＳ６で音声ガイダンスとして「火災でない場合は、２番の地区音響一時停止スイッチを押してください」を出力する。
【００７７】
ステップＳ５の音声ガイダンスの指示に従って火災断定スイッチ６２を押すと、そのとき停止に設定されているスイッチが自動的に解除される。また、ステップＳ６の音声ガイダンスにより、現場確認により火災でなかった場合には、地区音響一時停止スイッチ６６を操作して地区音響鳴動を停止する。
【００７８】
ここで、ステップＳ６の音声ガイダンスにあっては、地区音響一時停止スイッチ６６の操作指示として「２番の地区音響一時停止スイッチ」というようにスイッチ番号６６ａを指示しており、このため管理者は図３に示す操作表示部５４の中に拡大表示されているスイッチ番号６６ａである「２」を見て、容易に指示された地区音響一時停止スイッチ６６を押すことができる。
【００７９】
なお、ステップＳ５の音声ガイダンスで指示した火災断定スイッチ６２については、図３のように操作表示部５４の中央に配置し、且つスイッチの周囲を例えば赤いリングで囲んで注意を促しており、したがって音声ガイダンスによる火災断定スイッチ６２の操作受信については、管理者は迷うことなく直ちにそのスイッチを認識して操作することができる。
【００８０】
続いてステップＳ７で、ステップＳ５で指示された火災断定スイッチ６２の操作（押圧）の有無をチェックしており、火災断定スイッチ６２の操作がなければ、ステップＳ８ａで復旧スイッチ７０の操作があるか否かチェックする。復旧スイッチ７０の操作がないときはステップＳ８ｂに進んで音声案内スイッチ７４の操作があるか否かチェックし、音声案内スイッチ７４が再度操作されれば、ステップＳ５に戻り、再度、同じ操作ガイダンスをステップＳ５，Ｓ６で出力する。
【００８１】
ステップＳ７で火災断定スイッチ６２の押圧を判別すると、ステップＳ９に進み、火災断定処理の実行終了に伴い音声ガイダンスとして「火災断定処理しました」を出力する。
【００８２】
続いてステップＳ１０に進み、音声案内スイッチ７４の操作を判別すると、ステップＳ１１で音声ガイダンスとして「１１９番へ通報してください。状況に応じて初期消火や避難誘導を行ってください」を出力する。
【００８３】
続いてステップＳ１２で復旧スイッチ７０の操作を判別するまで、ステップＳ１０の音声案内スイッチ７４の操作ごとにステップＳ１１の音声ガイダンスの出力を繰り返すことになる。ステップＳ１２で復旧スイッチの操作を判別すると、ステップＳ１３で音声案内を終了する。
【００８４】
一方、ステップＳ４で地区音響一時停止中を判別してステップＳ１４に進んだ場合には、音声ガイダンスとして「確認した結果、火災の場合は火災断定スイッチを押してください」を出力し、続いてステップＳ１５で「火災でない場合は、発信機を元に戻してから３番の復旧スイッチを押してください」を出力する。
【００８５】
このため、現場確認により火災であった場合には、ステップＳ１４の操作ガイダンスに従って火災断定スイッチ６２を操作し、一方、火災でなかった場合にはステップＳ１５の操作ガイダンスに従って復旧スイッチ７０を操作することになる。
【００８６】
続いてステップＳ１６で復旧スイッチ７０の操作を判別しており、復旧スイッチ７０の操作がなければ、ステップＳ１７で音声案内スイッチ７４の操作を判別しており、再度、音声案内スイッチ７４が操作されると、ステップＳ１４及びＳ１５の操作ガイダンスを出力する。
【００８７】
ステップＳ１６で復旧スイッチ７０の操作が判別されると、ステップＳ１８で音声案内を終了することになる。
【００８８】
図８は図７に続く感知器作動時の音声ガイダンス処理の詳細を示したフローチャートである。図８の感知器作動時の音声ガイダンス処理となるステップＳ１９〜Ｓ３１の処理は、図７に示した発信機作動時のステップＳ１〜Ｓ１３の処理に１対１に対応して音声ガイダンスにより指示するスイッチ操作は同じである。相違点は、ステップＳ３に対応したステップＳ２１の音声ガイダンスで「感知器が作動しました」としている点だけであり、他の処理及び音声ガイダンスは同じである。
【００８９】
図９は図８に続く防排煙設備の感知器作動時の音声ガイダンス処理を示したフローチャートである。図９の防排煙設備の感知器作動時の音声ガイダンス処理は、ステップＳ３７〜Ｓ５２の手順を備えている。
【００９０】
防排煙設備の感知器作動にあっては、図７及び図８の発信機及び感知器の作動の場合のように地区音響鳴動がないことから、この地区音響鳴動に対応する処理を除いた処理となっている。
【００９１】
即ち、ステップＳ３７で防排煙用感知器作動を判別すると、ステップＳ３８で音声案内スイッチ７４の操作を判別し、ステップＳ３９で音声ガイダンスとして「感知器が作動しました。発生した場所の状況を確認してください」を出力する。これは発信機及び感知器の場合と同じである。
【００９２】
続いてステップＳ４０で音声案内スイッチ７４の操作を判別すると、ステップＳ４１とステップＳ４３の操作ガイダンスを無音１秒を挟んで出力し、これは図８に示した地区音響一時停止中のステップＳ３２，Ｓ３３の音声ガイダンスと同じである。
【００９３】
即ち、ステップＳ４１で「確認した結果、火災の場合は火災断定スイッチを押してください」を出力し、続いてステップＳ４３で「火災でない場合は、感知器が作動した原因を取り除いてから３番の復旧スイッチを押してください」を出力する。
【００９４】
続いてステップＳ４４で火災断定スイッチ６２の操作を判別すると、ステップＳ４５で音声メッセージとして「火災断定処理をしました」を出力する。またステップＳ４４で火災断定スイッチ６２が操作されない場合は、ステップＳ５０で復旧スイッチ７０の操作の有無をチェックし、復旧スイッチも操作されない場合には、ステップＳ５１で音声案内スイッチ７４の操作を判別すると、ステップＳ４１，Ｓ４３の音声ガイダンスを再度、出力する。
【００９５】
ステップＳ４５で音声ガイダンスを出力した後は、ステップＳ４６で音声案内スイッチ７４の操作を判別すると、ステップＳ４７で「１１９番へ通報してください。状況に応じて初期消火や避難誘導を行ってください」との音声ガイダンスを出力し、ステップＳ４８で復旧スイッチ７０が操作されるまで、ステップＳ４６で音声案内スイッチ７４が操作されるごとに、ステップＳ４７の音声ガイダンスの出力を繰り返す。ステップＳ４８で復旧スイッチ７０の操作を判別すると、ステップＳ４９で音声案内を終了する。
【００９６】
一方、ステップＳ４４で火災断定スイッチ６２を操作することなく、ステップＳ５０で復旧スイッチ７０の操作が判別すると、ステップＳ５２で音声案内を終了することになる。
【００９７】
図１０は図９に続くガス漏れ検知器作動時の音声ガイダンス処理の詳細を示したフローチャートである。図１０のガス漏れ検知器作動時の音声ガイダンス処理は、ステップＳ５３〜Ｓ６８の手順を備えており、その手順は図９に示した防排煙設備の感知器作動の場合と基本的に同じであり、相違点は図９のステップＳ３９，ステップＳ４１，ステップ４３、ステップＳ４５の音声メッセージにおける「火災」が、図１０のステップＳ５５，Ｓ５７，Ｓ５９，Ｓ６１では「ガス漏れ検知器」または「ガス漏れ」と変更されている。
【００９８】
更に図９のステップＳ４７に対応した図１０のステップＳ６３の音声ガイダンスにあっては、「ガス会社へ連絡し、指示に従ってください」といったガス漏れ検知の際の固有のガイダンス内容となっている。
【００９９】
図１１〜図１６は、図６のステップＳ１６における操作練習処理の詳細を示したフローチャートであり、灰色に塗り潰したブロックが操作練習のガイダンス内容を示している。
【０１００】
図１１は火災報知設備が作動して火災でなかったときの操作練習ガイダンス処理の詳細を示したフローチャートである。
【０１０１】
図１１において、まずステップＳ１で図４に示した代表表示部５０の左側下に設けている操作練習中灯７７を点滅し、操作練習モード中にあることを表示する。次にステップＳ２でどのような操作練習を行うかの初期説明を行う。
【０１０２】
続いてステップＳ３で「火災時の操作方法の練習」を行う点と火災信号を受信した際の警報表示動作を説明する。続いてステップＳ４で警報受信に対し最初に行うスイッチ操作を説明する。この場合には、警報音が鳴ったら１番の主音響停止スイッチ６４の操作を指示している。
【０１０３】
続いてステップＳ５で操作練習のための火災代表灯点滅と地区表示灯点滅が行われ、ステップＳ６で主音響鳴動の音声メッセージとして「“第１擬似音”火事です。火事です。発生場所を確認してください」を出力する。
【０１０４】
続いてステップＳ７で、ステップＳ４のガイダンス内容に基づく主音響停止スイッチ６４の操作を判別すると、ステップＳ８で主音響停止に続く次の操作方法のガイダンスを出力する。この場合には、火災発生場所の状況確認と、火災であった場合に火災断定スイッチ６２の操作を指示している。
【０１０５】
続いてステップＳ９で、ステップＳ８のガイダンス内容で指示された火災断定スイッチ６２の操作を判別すると、ステップＳ１１に進み、通常の警報受信時と同様、「火災断定処理しました」の操作メッセージが出力される。なお、ステップＳ９で火災断定スイッチの押圧操作が判別されるまでは、ステップＳ１０で音声案内スイッチ７４の操作を判別しており、音声案内スイッチが再び操作されると、ステップＳ８のガイダンス内容を再び出力する。
【０１０６】
ステップＳ１１の操作ガイダンスの出力が済むと、ステップＳ１２に進み、操作訓練のガイダンス内容として消防機関への通報と、状況に応じた初期消火や避難誘導の指示を出力する。最終的にステップＳ１３で操作方法の練習終了を出力する。
【０１０７】
図１２は図１１に続く火災報知設備が作動して火災でなかったときの操作練習ガイダンス処理の詳細を示したフローチャートであり、ステップＳ１４〜Ｓ２９の手順を含んでいる。
【０１０８】
まずステップＳ１４で操作方法の練習を行う条件として「火災でない場合」を示し、また最初に行われる警報受信動作を説明する。次にステップＳ１５で警報動作に対する音声停止スイッチの操作を指示する。
【０１０９】
続いてステップＳ１６で火災代表灯５６と地区表示灯６１を点滅し、ステップＳ１７で図１１のステップＳ６と同様、主音響鳴動に対応した警報メッセージを出力する。続いてステップＳ１８で主音響停止スイッチ６４の操作を判別すると、ステップＳ１９に進み、火災発生場所の状況確認と、火災でない場合の２番の地区音響一時停止スイッチ６６の操作を指示する操作練習ガイダンスを出力する。
【０１１０】
続いてステップＳ２０で、操作を指示した地区音響一時停止スイッチ６６の操作を判別すると、ステップＳ２２で復旧のための処置と３番の復旧スイッチ７０の操作を指示する。なお、ステップＳ２０で地区音響一時停止スイッチの操作がない場合には、ステップＳ２１で音声案内スイッチ７４の操作の有無を判別し、音声案内スイッチ７４が操作されると、ステップＳ１９のガイダンス内容を再び出力する。
【０１１１】
ステップＳ２２のガイダンス内容を出力した後、ステップＳ２３で復旧スイッチ７０の操作を判別すると、ステップＳ２５に進み、火災代表灯５６と地区表示灯６１を消灯し、ステップＳ２６でＰ型受信機が通常の監視状態に戻ったことと、現在停止状態にある２番の地区音響一時停止スイッチ６６の操作による停止解除を指示する。
【０１１２】
続いてステップＳ２７で地区音響一時停止スイッチ６６の操作を判別すると、ステップＳ２９で練習操作の終了を出力する。なお、ステップＳ２７で地区音響一時停止スイッチ６６の操作がなければ、ステップＳ２８で音声案内スイッチ７４を判別するごとに、ステップＳ２６のガイダンス内容を再度、出力することになる。
【０１１３】
図１３は図１２に続く防排煙設備が作動して火災があったときの操作練習ガイダンス処理の詳細を示したフローチャートであり、ステップＳ３０〜Ｓ４２の手順を含んでいる。
【０１１４】
図１３における防排煙設備が作動して火災であった場合の処理は、図１１の火災報知設備が作動した場合のステップＳ２〜Ｓ１３の手順と基本的に同じであり、図１１のステップＳ２に対応した図１３のステップＳ３０におけるガイダンス内容が「防排煙設備が作動したときの操作方法の練習を行います」になっている点が相違している。もちろん、ステップＳ３４における主音響警報のためのメッセージにあっては、図１１のステップＳ６の「第１擬似音」に対し、防排煙設備の作動を示す「第２擬似音」になっている点が相違する。
【０１１５】
図１４は図１３に続く防排煙設備が作動して火災でなかったときの操作練習ガイダンス処理の詳細を示したフローチャートであり、図１２のステップＳ１４〜Ｓ２９に示した火災報知設備において、火災でない場合の操作方法の練習における地区音響一時停止スイッチに関する処理を除いた処理に、ほぼ一致している。
【０１１６】
即ち、ステップＳ４３で防排煙設備において火災でない場合の操作方法の練習を行う点と、火災信号を受信した際の受信機動作を示すガイダンス内容を出力した後、ステップＳ４４で主音響出力に対する主音響停止スイッチ６４の操作を指示する。
【０１１７】
続いてステップＳ４５で火災信号の受信に伴う火災代表灯点滅と地区表示灯点滅を行った後、ステップＳ４６で図１３のステップＳ３４と同様、「第２擬似音」を使用した音声警報を行い、ステップＳ４７で主音響停止スイッチ６４の操作を判別すると、ステップＳ４８に進み、火災発生場所の状況確認と、火災でない場合の感知器作動の原因除去、及びその後の復旧スイッチ７０の操作を指示するガイダンス内容を出力する。
【０１１８】
続いてステップＳ４９で復旧スイッチ７０の操作を判別すると、ステップＳ５１で防排煙代表灯と地区表示灯を消灯し、ステップＳ５２で復旧後の処理として防火戸の復旧を指示し、更に地区表示灯の点灯が消えたことでＰ型受信機が通常の監視状態に戻っていることをガイダンスする。最終的にステップＳ５３で操作方法の練習終了を出力する。
【０１１９】
なお、ステップＳ４９で復旧スイッチ７０の操作を判別するまでは、ステップＳ５０で音声案内スイッチ７４の操作を判別するごとに、ステップＳ４８の操作練習ガイダンスを繰り返し出力する。
【０１２０】
図１５は図１４に続くガス漏れ警報設備が作動してガス漏れがあったときの操作練習ガイダンス処理の詳細を示したフローチャートであり、ステップＳ５４〜Ｓ６５の手順を含んでいる。
【０１２１】
図１５のステップＳ５４〜Ｓ６５の手順は、図１３に示した防排煙設備で火災であったときのステップＳ３０〜Ｓ４２の手順に基本的に対応しており、図１３における「防排煙設備」「火災」が、図１５にあっては「ガス漏れ警報設備」「ガス漏れ時」となっている。また図１５のステップＳ５８におけるガス漏れ受信時の主音響警報としての警報音声は「“第３擬似音”ガス漏れ発生。ガス漏れ発生。発生場所を確認してください」とガス漏れ固有の内容となっている。
【０１２２】
更にステップＳ６０の音声ガイダンスについては、主音響停止スイッチ６４を操作した後のガイダンスとして、ガス漏れ発生場所の状況確認と、ガス漏れであった場合の火災断定スイッチの操作を指示している。この火災断定スイッチは、図３に示す火災断定スイッチ６２の操作を意味する。
【０１２３】
ステップＳ６２でガス漏れ断定スイッチの操作を判別すると、ステップＳ６３で操作メッセージとして「ガス漏れ断定処理をしました」が出力され、ステップＳ６４でガス漏れ固有のガイダンス内容として、ガス会社への連絡とその指示に従う旨の出力が行われ、最終的にステップＳ６４で操作方法の練習終了を出力する。
【０１２４】
図１６は図１５に続くガス漏れ警報設備が作動してガス漏れでなかったときの操作練習ガイダンス処理の詳細を示したフローチャートであり、ステップＳ６６〜Ｓ７７の手順を含んでいる。
【０１２５】
この手順は図１４に示した防排煙設備で火災でない場合の操作方法の練習の手順と基本的に同じであり、図１４における「防排煙」が図１６では「ガス漏れ」となっている。またステップＳ６９におけるガス漏れ警報は、図１５のステップＳ５８と同じガス漏れ固有のものである。
【０１２６】
ステップＳ６６〜Ｓ７６のガス漏れ警報設備が作動してガス漏れでなかったときの操作練習ガイダンス処理が終了すると、最終的にステップＳ７７ですべての操作方法の練習終了を出力し、一連の操作練習ガイダンス処理を終了して、図６のメインルーチンにリターンする。
【０１２７】
図１７は図５の十字スイッチ７８を取り出して示した説明図であり、十字スイッチ７８には十字配置された４箇所に、上キー８０、下キー８２、右キー８４及び左キー８６を設けている。なお、各キーは正確にはキースイッチである。
【０１２８】
図１７の十字スイッチ７８に設けた４つのキーを操作練習モード中に操作することで、図１１〜図１６に示した一連の操作練習ガイダンスのガイダンス内容の出力を適宜に切り替えることができる。
【０１２９】
図１８は本実施形態における操作練習ガイダンス内容の全体構成を示した説明図である。図１８において、操作練習ガイダンス内容は、火災カテゴリ９０、防排煙火災カテゴリ９２及びガス漏れカテゴリ９４の３つのカテゴリに分かれており、それぞれ順番に配置されている。
【０１３０】
火災カテゴリ９０は火災音声内容１〜ｎで示す火災音声アイテム９０−１〜９０−ｎに分かれており、また防排煙火災カテゴリ９２は防排煙音声内容１〜ｎで示す防排煙音声アイテム９２−１〜９２−ｎで構成され、更にガス漏れカテゴリ９４はガス漏れ音声内容１〜ｎで示すガス漏れ音声アイテム９４−１〜９４−ｎで構成されている。このような操作練習ガイダンス内容に対し、図１７の十字スイッチ７８に設けた４つのキーは次のような切替えを指示する。
【０１３１】
（１）上キー８０
次のカテゴリの先頭アイテムへの移行を指示する。
（２）下キー８２
１つ前のカテゴリの先頭アイテムへの移行を指示する。
（３）右キー８４
同一カテゴリの次のアイテムへの移行を指示する。
（４）左キー８６
同一カテゴリの1つ前のアイテムへの移行を指示する。
【０１３２】
図１９は、このような十字スイッチに設け４つのキーによる図１８の操作練習ガイダンス内容の切替処理を示したフローチャートである。図１９において、ステップＳ１で上キー８０の操作を判別すると、ステップＳ２で次のカテゴリの先頭アイテムに移行する。例えば図１８で防排煙火災カテゴリ９２の例えば３番目の防排煙音声アイテム９２−３にあるときに上キー８０を操作すると、次のガス漏れカテゴリ９４の先頭のガス漏れ音声アイテム９４−１に移行する。
【０１３３】
またステップＳ３で下キー８２の操作を判別すると、ステップＳ４で１つ前のカテゴリの先頭アイテムに移行する。例えば図１８の斜線で示す防排煙音声アイテム９２−３にあるときに下キー８２を押すと、１つ前の火災カテゴリ９０の先頭の火災音声アイテム９０−１に移行する。
【０１３４】
次に、ステップＳ５で右キー８４の操作を判別すると、ステップＳ６で同一カテゴリの次のアイテムに移行する。例えば図１８の防排煙火災カテゴリ９２の３番目の防排煙音声アイテム９２−３にあるときに右キー８４を操作すると、次の防排煙音声アイテム９２−４に移行する。
【０１３５】
ステップＳ７で左キー８６の操作を判別すると、ステップＳ８で同一カテゴリの前のアイテムに移行する。例えば、防排煙音声アイテム９２−３にあるときに左キー８６を操作すると、１つ前の防排煙音声アイテム９２−２に移行する。
【０１３６】
このような図１７に示す十字スイッチ７８に設けた４つのキースイッチの操作により、操作練習モード中において、図１８の操作練習ガイダンス処理の構成に従って、任意のカテゴリの任意のアイテムから必要に応じて操作練習のためのガイダンスを開始したり切り替えたりする操作が自由にできる。
【０１３７】
なお上記の実施形態にあっては、図３に示した火災断定スイッチ６２についてはスイッチ番号の拡大表示を行っていないが、火災断定スイッチ６２についても主音響停止スイッチ６４、地区音響一時停止スイッチ６６及び復旧スイッチ７０のようにスイッチ番号の拡大表示を行い、このスイッチ番号とスイッチ名称をガイダンス内容として指示するようにしてもよい。
【０１３８】
また上記の実施形態に示した異常受信時の操作ガイダンスの内容及び操作練習のためのガイダンス内容は一例であり、必要に応じて適宜のガイダンス表現を用いてもよいことはもちろんである。
【０１３９】
また上記の実施形態から明らかなように、本実施形態が対象とするＰ型受信機１０にあっては、受信機の盤面にスイッチ及び表示灯を設けているが、画像を表示するディスプレイは備えておらず、したがって本実施形態はＰ型受信機に限定されず、適宜の異常受信時において、受信機の操作表示部として画像表示を行うディスプレイを持たない装置構成につき、そのまま適用することができる。
【０１４０】
また本発明は上記の実施形態に限定されず、その目的と利点を損なうことのない適宜の変形を含み、更に上記の実施形態に示した数値による限定は受けない。
【図面の簡単な説明】
【０１４１】
【図１】本実施形態の受信機が設けられる防災監視システムを示した説明図
【図２】本実施形態の受信機における機能構成を示したブロック図
【図３】本実施形態における受信機の正面図と操作表示部を取り出して示した説明図
【図４】図３の代表表示部を取り出して示した説明図
【図５】図３の操作表示部を小扉を開いた状態で取り出して示した説明図
【図６】本実施形態における受信制御処理を示したフローチャート
【図７】図６のステップＳ９における発信機作動時の音声ガイダンスの処理の詳細を示したフローチャート
【図８】図７に続く感知器作動時の音声ガイダンス処理の詳細を示したフローチャート
【図９】図８に続く防排煙設備の感知器作動時の音声ガイダンスの処理の詳細を示したフローチャート
【図１０】図９に続くガス漏れ検知器作動時の音声ガイダンスの処理の詳細を示したフローチャート
【図１１】図６のステップＳ１６における火災報知設備が作動して火災であった時の操作練習処理の詳細を示したフローチャート
【図１２】図１１に続く火災報知設備が作動して火災でなかった時の操作練習ガイダンス処理の詳細を示したフローチャート
【図１３】図１２に続く防排煙設備が作動して火災であった時の操作練習ガイダンス処理の詳細を示したフローチャート
【図１４】図１３に続く防排煙設備が作動して火災でなかった時の操作練習ガイダンス処理の詳細を示したフローチャート
【図１５】図１４に続くガス漏れ警報設備が作動してガス漏れであった時の操作練習ガイダンス処理の詳細を示したフローチャート
【図１６】図１５に続くガス漏れ警報設備が作動してガス漏れでなかった時の操作練習ガイダンス処理の詳細を示したフローチャート
【図１７】図５の十字スイッチを取り出して示した説明図
【図１８】本実施形態における操作練習ガイダンス内容の構成を示した説明図
【図１９】本実施形態における十字スイッチによる操作訓練ガイダンスの操作処理を示したフローチャート
【符号の説明】
【０１４２】
１０：Ｐ型受信機
１２−１〜１２−ｎ：感知器回線
１４：感知器
１６：発信機
１８：発信機回線
２０：ガス漏れ検知回線
２２：ガス漏れ検知器
２４−１〜２４−ｎ：制御回線
２６：防火戸
２８：ダンパー
３０：Ｐ型表示盤
３２：ＭＰＵ
３４−１〜３４−ｎ：受信回路部
３５−１〜３５−ｎ：制御回路部
３６：表示部
３７：操作部
３８：音声出力部
４０：移報部
４１：メモリ部
４２：受信制御部
４４：音声ガイダンス処理部
４６：操作練習ガイダンス処理部
５０：代表表示部
５２：地区表示部
５４：操作表示部
５５：スピーカ
５６：火災代表灯
５８：ガス漏れ代表灯
６０：防排煙代表灯
６１：地区表示灯
６２：火災断定スイッチ
６４：主音響停止スイッチ
６４ａ，６６ａ，６８ａ：スイッチ番号
６６：地区音響一時停止スイッチ
６８：小扉
７０：復旧スイッチ
７２：矢印マーカ
７４：音声案内スイッチ
７６：音声案内誘導灯
７７：操作練習中灯
７８：十字スイッチ
８０：上キー
８２：下キー
８４：右キー
８６：左キー
９０：火災カテゴリ
９０−１〜９０−ｎ：火災音声アイテム
９２：防排煙火災カテゴリ
９２−１〜９２−ｎ：防排煙音声アイテム
９４：ガス漏れカテゴリ
９４−１〜９４−ｎ：ガス漏れ音声アイテム
【図１】
0004934563.tif 000002
【図２】
0004934563.tif 000003
【図３】
0004934563.tif 000004
【図４】
0004934563.tif 000005
【図５】
0004934563.tif 000006
【図６】
0004934563.tif 000007
【図７】
0004934563.tif 000008
【図８】
0004934563.tif 000009
【図９】
0004934563.tif 000010
【図１０】
0004934563.tif 000011
【図１１】
0004934563.tif 000012
【図１２】
0004934563.tif 000013
【図１３】
0004934563.tif 000014
【図１４】
0004934563.tif 000015
【図１５】
0004934563.tif 000016
【図１６】
0004934563.tif 000017
【図１７】
0004934563.tif 000018
【図１８】
0004934563.tif 000019
【図１９】
0004934563.tif 000020